【手続補正書】
【提出日】平成29年11月8日(2017.11.8)
【手続補正１】
【補正対象書類名】特許請求の範囲
【補正対象項目名】全文
【補正方法】変更
【補正の内容】
【特許請求の範囲】
【請求項１】
ビデオデータを符号化する方法であって、
ビデオデコーダを備えるデバイスから、前記ビデオデコーダが情報を送信したときに前記ビデオデコーダの復号ピクチャバッファ（ＤＰＢ）中に記憶されている、前に復号されたピクチャを識別する前記情報を受信することと、
前記識別されたピクチャに基づいて、現在のピクチャを符号化するために利用可能である１つまたは複数の候補参照ピクチャを決定することと、ここにおいて、前記１つまたは複数の候補参照ピクチャは、
前記識別されたピクチャのピクチャセット中の１つまたは複数のピクチャ、ここにおいて、前記ピクチャセットは、前記識別されたピクチャの符号化中に、前記識別されたピクチャをインター予測符号化するために使用されることができたピクチャとして、または、前記識別されたピクチャにコーディング順序で続く前記複数のピクチャをインター予測符号化するために使用されることができたピクチャとして前に決定されたピクチャを識別する、および、
ビデオエンコーダのＤＰＢ中に依然として記憶されている１つまたは複数のピクチャ、
を含む、
前記決定された１つまたは複数の候補参照ピクチャおよび前記識別されたピクチャから、前記現在のピクチャ用の１つまたは複数の参照ピクチャを選択することと、
前記選択された１つまたは複数の参照ピクチャに基づいて、前記現在のピクチャをインター予測符号化することと
を備える方法。
【請求項２】
前記ビデオデコーダによって後で識別される利用可能なピクチャの前記符号化中に、および前記現在のピクチャの前記符号化に先立って、
前記利用可能なピクチャに表示順序で先行し、前記利用可能なピクチャをインター予測するのに使用可能であると決定された、および前記利用可能なピクチャにコーディング順序で続く前記１つまたは複数のピクチャをインター予測するのに使用可能であると決定された、どの短期参照ピクチャも含む第１の参照ピクチャサブセット、
前記利用可能なピクチャに表示順序で続き、前記利用可能なピクチャをインター予測するのに使用可能であると決定された、および前記利用可能なピクチャにコーディング順序で続く前記１つまたは複数のピクチャをインター予測するのに使用可能であると決定された、どの短期参照ピクチャも含む第２の参照ピクチャサブセット、
前記利用可能なピクチャをインター予測するのに使用可能であると決定された、および前記利用可能なピクチャにコーディング順序で続く前記１つまたは複数のピクチャをインター予測するのに使用可能であると決定された、どの長期参照ピクチャも含む第３の参照ピクチャサブセット、
前記利用可能なピクチャにコーディング順序で続く前記１つまたは複数のピクチャをインター予測するのに使用可能であると決定された、および前記利用可能なピクチャをインター予測するのに使用可能ではないと決定された、どの短期参照ピクチャも含む第４の参照ピクチャサブセット、および
前記利用可能なピクチャにコーディング順序で続く前記１つまたは複数のピクチャをインター予測するのに使用可能であると決定された、および前記利用可能なピクチャをインター予測するのに使用可能ではないと決定された、どの長期参照ピクチャも含む第５の参照ピクチャサブセット、
のうちの１つまたは複数を構築することをさらに備え、
前記第１、第２、第３、第４、および第５の参照ピクチャサブセットのうちの１つまたは複数の中のピクチャは、前記利用可能なピクチャをインター予測符号化するために使用可能であると前に決定された、または前記利用可能なピクチャにコーディング順序で続く複数のピクチャをインター予測符号化するために使用可能であると前に決定された、ピクチャを備え、
１つまたは複数の候補参照ピクチャを決定することは、前記第１の参照ピクチャサブセット、前記第２の参照ピクチャサブセット、前記第３の参照ピクチャサブセット、前記第４の参照ピクチャサブセット、および前記第５の参照ピクチャサブセットのうちの１つまたは複数から、１つまたは複数の候補参照ピクチャを決定することを備える、請求項１に記載の方法。
【請求項３】
１つまたは複数の候補参照ピクチャを決定することは、前記第４および第５の参照ピクチャサブセットからではなく、前記第１、第２、および第３の参照ピクチャサブセットから、１つまたは複数の候補参照ピクチャを決定することを備える、請求項２に記載の方法。
【請求項４】
１つまたは複数の候補参照ピクチャを決定することは、前記第３、第４、および第５の参照ピクチャサブセットからではなく、前記第１および第２の参照ピクチャサブセットから、１つまたは複数の候補参照ピクチャを決定することを備える、請求項２に記載の方法。
【請求項５】
前記識別されたピクチャが、前記現在のピクチャを符号化するために利用可能かどうか決定することと、
前記識別されたピクチャが、前記現在のピクチャを符号化するために利用可能でないという決定に基づいて、前記現在のピクチャをイントラ予測符号化することとをさらに備える、請求項１に記載の方法。
【請求項６】
欠落されたピクチャを識別する情報を受信することと、
前記欠落されたピクチャを、前記決定された１つまたは複数の候補参照ピクチャから除外することと
をさらに備える、請求項１に記載の方法。
【請求項７】
前記選択された１つまたは複数の参照ピクチャに基づいて、前記現在のピクチャをインター予測符号化することは、前記選択された参照ピクチャからの２つのピクチャに基づいて、前記現在のピクチャを双予測符号化することを備える、請求項１に記載の方法。
【請求項８】
ビデオデータを符号化するためのデバイスであって、
１つまたは複数のピクチャを記憶するように構成されたメモリを備える第１の復号ピクチャバッファ（ＤＰＢ）と、
１つまたは複数のプロセッサを備えるビデオエンコーダと、ここにおいて、前記ビデオエンコーダは、
ビデオデコーダを備えるデバイスから、前記ビデオデコーダが情報を送信したときに前記ビデオデコーダの第２のＤＰＢに記憶されている、前に復号されたピクチャを識別する前記情報を受信し、
前記識別されたピクチャに基づいて、現在のピクチャを符号化するために利用可能である１つまたは複数の候補参照ピクチャを決定し、ここにおいて、前記１つまたは複数の候補参照ピクチャは、
前記識別されたピクチャのピクチャセット中の１つまたは複数のピクチャ、ここにおいて、前記ピクチャセットは、前記識別されたピクチャの符号化中に、前記識別されたピクチャをインター予測符号化するために使用されることができたピクチャとして、または、前記識別されたピクチャにコーディング順序で続く前記複数のピクチャをインター予測符号化するために使用されることができたピクチャとして前に決定されたピクチャを識別する、および、
前記第１のＤＰＢ中に依然として記憶されている１つまたは複数のピクチャ、
を含む、
前記決定された１つまたは複数の候補参照ピクチャおよび前記識別されたピクチャから、前記現在のピクチャ用の１つまたは複数の参照ピクチャを選択し、
前記選択された１つまたは複数の参照ピクチャに基づいて、前記現在のピクチャをインター予測符号化する、
ように構成される、
を備えるデバイス。
【請求項９】
前記ビデオエンコーダは、
前記ビデオデコーダによって後で識別される利用可能なピクチャの前記符号化中に、および前記現在のピクチャの前記符号化に先立って、
前記利用可能なピクチャに表示順序で先行し、前記利用可能なピクチャをインター予測するのに使用可能であると決定された、および前記利用可能なピクチャにコーディング順序で続く前記１つまたは複数のピクチャをインター予測するのに使用可能であると決定された、どの短期参照ピクチャも含む第１の参照ピクチャサブセット、
前記利用可能なピクチャに表示順序で続き、前記利用可能なピクチャをインター予測するのに使用可能であると決定された、および前記利用可能なピクチャにコーディング順序で続く前記１つまたは複数のピクチャをインター予測するのに使用可能であると決定された、どの短期参照ピクチャも含む第２の参照ピクチャサブセット、
前記利用可能なピクチャをインター予測するのに使用可能であると決定された、および前記利用可能なピクチャにコーディング順序で続く前記１つまたは複数のピクチャをインター予測するのに使用可能であると決定された、どの長期参照ピクチャも含む第３の参照ピクチャサブセット、
前記利用可能なピクチャにコーディング順序で続く前記１つまたは複数のピクチャをインター予測するのに使用可能であると決定された、および前記利用可能なピクチャをインター予測するのに使用可能ではないと決定された、どの短期参照ピクチャも含む第４の参照ピクチャサブセット、および
前記利用可能なピクチャにコーディング順序で続く前記１つまたは複数のピクチャをインター予測するのに使用可能であると決定された、および前記利用可能なピクチャをインター予測するのに使用可能ではないと決定された、どの長期参照ピクチャも含む第５の参照ピクチャサブセット、
のうちの１つまたは複数を構築するように構成され、
前記第１、第２、第３、第４、および第５の参照ピクチャサブセットのうちの１つまたは複数の中のピクチャは、前記利用可能なピクチャをインター予測符号化するために使用可能であると前に決定された、または前記利用可能なピクチャにコーディング順序で続く複数のピクチャをインター予測符号化するために使用可能であると前に決定された、ピクチャを備え、
１つまたは複数の候補参照ピクチャを決定するために、前記ビデオエンコーダは、前記第１の参照ピクチャサブセット、前記第２の参照ピクチャサブセット、前記第３の参照ピクチャサブセット、前記第４の参照ピクチャサブセット、および前記第５の参照ピクチャサブセットのうちの１つまたは複数から、１つまたは複数の候補参照ピクチャを決定するように構成される、請求項８に記載のデバイス。
【請求項１０】
１つまたは複数の候補参照ピクチャを決定するために、前記ビデオエンコーダは、前記第４および第５の参照ピクチャサブセットからではなく、前記第１、第２、および第３の参照ピクチャサブセットから、１つまたは複数の候補参照ピクチャを決定するように構成される、請求項９に記載のデバイス。
【請求項１１】
１つまたは複数の候補参照ピクチャを決定するために、前記ビデオエンコーダは、前記第３、第４、および第５の参照ピクチャサブセットからではなく、前記第１および第２の参照ピクチャサブセットから、１つまたは複数の候補参照ピクチャを決定するように構成される、請求項９に記載のデバイス。
【請求項１２】
前記ビデオエンコーダは、
前記識別されたピクチャが、前記現在のピクチャを符号化するために利用可能かどうか決定し、
前記識別されたピクチャが、前記現在のピクチャを符号化するために利用可能でないという決定に基づいて、前記現在のピクチャをイントラ予測符号化する、
ように構成される、請求項８に記載のデバイス。
【請求項１３】
前記ビデオエンコーダは、
欠落されたピクチャを識別する情報を受信し、
前記欠落されたピクチャを、前記決定された１つまたは複数の候補参照ピクチャから除外する、
ように構成される、請求項８に記載のデバイス。
【請求項１４】
前記選択された１つまたは複数の参照ピクチャに基づいて、前記現在のピクチャをインター予測符号化するために、前記ビデオエンコーダは、前記選択された参照ピクチャからの２つのピクチャに基づいて、前記現在のピクチャを双予測符号化するように構成される、請求項８に記載のデバイス。